(57)【要約】【課題】転倒防止用部品を使用しない場合に転倒防止用部品が紛失しないようにした表示装置を提供する。【解決手段】このテレビジョン放送受信装置（表示装置）１は、液晶ディスプレイ（表示部）を有する液晶ディスプレイユニット２と、液晶ディスプレイユニット２を支持するとともに、底面に凹部３０１を有するスタンド部３と、不使用時はスタンド部３の凹部３０１に収納され、使用時は凹部３０１から引き出し可能にスタンド部３に固定された転倒防止部材４とを備える。【選択図】図１
2008160236.tif 000002
【特許請求の範囲】
【請求項１】
画像を表示する表示部を有するユニットと、
前記ユニットを支持するとともに、所定の空間を有するスタンドと、
不使用時は前記スタンドの前記所定の空間に収納され、使用時は前記所定の空間から引き出し可能に前記スタンドに固定された転倒防止部材とを備えたことを特徴とする表示装置。
【請求項２】
前記スタンドの前記所定の空間は、前記スタンドの底面に設けられた凹部であることを特徴とする請求項１に記載の表示装置。
【請求項３】
前記スタンドは、前記転倒防止部材を第１の角度方向に回転させたとき、前記凹部に収納され、前記転倒防止部材を第２の角度方向に回転させたとき、前記底面から引き出されるように、前記転倒防止部材の回転中心を前記凹部に固定する固定部材を備えたことを特徴とする請求項２に記載の表示装置。
【請求項４】
前記凹部は、前記第１の角度方向に形成され、前記転倒防止部材を収納する第１の凹部と、前記第２の角度方向に形成され、前記転倒防止部材を引き出し位置に保持する第２の凹部とを備えたことを特徴とする請求項３に記載の表示装置。
【請求項５】
前記転倒防止部材は、可撓性を有する帯状をなし、長手方向に複数の穴を備えたことを特徴とする請求項１乃至４のいずれか１項に記載の表示装置。
【発明の詳細な説明】
【技術分野】
【０００１】
本発明は、表示装置に関し、特に、転倒防止機構を備えた表示装置に関する。
【背景技術】
【０００２】
従来の技術として、地震等によりテレビジョン受像機が前方へ転倒しないようにした転倒防止装置が開示されている（例えば、特許文献１参照。）。
【０００３】
この転倒防止装置は、テレビジョン受像機の背面側に固定されたバックルの雌側と、テレビジョン受像機が載せられるテレビ台の天板に一方の端部が針により固定されるベルトと、ベルトの他方の端部に設けられたバックルの雄側およびベルト長調整用のベルト受け部とを備える。ベルト受け部によりベルト長を調整することにより、多種類のテレビジョン受像機に適用することができる。
【特許文献１】特開平５−６８２２０号公報
【発明の開示】
【発明が解決しようとする課題】
【０００４】
しかし、従来の転倒防止装置によると、テレビ台側に固定される転倒防止用部品であるバックルの雄側は、付属品であるので、使用しない場合などに紛失するおそれがある。
【０００５】
従って、本発明の目的は、転倒防止用部品を使用しない場合に転倒防止用部品が紛失しないようにした表示装置を提供することにある。
【課題を解決するための手段】
【０００６】
本発明は、上記目的を達成するため、画像を表示する表示部を有するユニットと、前記ユニットを支持するとともに、所定の空間を有するスタンドと、不使用時は前記スタンドの前記所定の空間に収納され、使用時は前記所定の空間から引き出し可能に前記スタンドに固定された転倒防止部材とを備えたことを特徴とする表示装置表示装置を提供する。
【０００７】
上記構成によれば、転倒防止部材をスタンドに設けた所定の空間に引き出し可能に固定することにより、転倒防止部材の紛失を防止することができる。
【発明の効果】
【０００８】
本発明によれば、転倒防止用部品を使用しない場合に転倒防止用部品の紛失を防止することができる。
【発明を実施するための最良の形態】
【０００９】
［第１の実施の形態］
図１は、本発明の第１の実施の形態に係る表示装置の斜視図である。表示装置の一例として、テレビジョン放送受信装置について説明するが、本発明の表示装置は、デスクトップ型のパーソナルコンピュータ等も含むものである。
【００１０】
このテレビジョン放送受信装置１は、画像を表示する液晶ディスプレイユニット２と、液晶ディスプレイユニット２を支持するスタンド部３と、スタンド部３の底面の凹部３０１に引き出し可能に収納された転倒防止部材４とを有して構成されている。
【００１１】
このテレビジョン放送受信装置１は、テレビ台５の木製の天板５０の上面５０ａに載せ、転倒防止部材４をスタンド部３の底面から引き出して木ねじ６により天板５０の後面５０ｂに固定することにより、テレビジョン放送受信装置１の前方への転倒を防止することができる。
【００１２】
液晶ディスプレイユニット２は、内部に画像を表示する液晶ディスプレイ（表示部）を有し、液晶ディスプレイの表側を覆うフロントカバー２０と、液晶ディスプレイの後側を覆うリアカバー２１とを備える。なお、表示部は、ブラウン管ディスプレイ、プラズマディスプレイ等の他のディスプレイでもよい。
【００１３】
図２は、本発明の実施の形態に係るスタンド部３を示し、（ａ）は、スタンド部３の底面側から見た斜視図、（ｂ）は、（ａ）のＡ−Ａ線断面図である。図３は、本発明の実施の形態に係るスタンド部３の分解斜視図である。
【００１４】
スタンド部３は、図２、図３に示すように、スタンド本体３０と、スタンド本体３０の表面を覆うスタンドカバー３１とを備える。
【００１５】
（スタンド本体）
スタンド本体３０は、図２（ａ）に示すように、ほぼ台形状の台形部３０ａと台形部３０ａから斜め左右前方に延びた脚部３０ｂとからなり、底面３００には、転倒防止部材４を引き出し可能に収納する凹部３０１が設けられている。なお、図２（ａ）中、３０３は、スタンド本体３０をねじ３０８によりスタンドカバー３１に固定した後、ねじ３０８を隠すための座部（凸部）である。また、図２（ａ）中、３０４は、ケーブル等を引掛けるための引掛けバンドである。
【００１６】
凹部３１０は、図２（ａ）に示すように、正面に対して斜め前方向の第１の角度方向θ１に形成され、転倒防止部材４を収納する第１の凹部３０１Ａと、正面方向の第２の角度方向θ２に形成され、引き出された転倒防止部材４を保持する第２の凹部３０１Ｂと、第１の凹部３０１Ａと第２の凹部３０１Ｂとが交差する領域に設けられた円形状の第３の凹部３０１Ｃとからなる。
【００１７】
第３の凹部３０１Ｃの底面には、転倒防止部材４を回転可能に固定する回転中心用ねじ（固定部材）３０２が取り付けられる。
【００１８】
また、スタンド本体３０は、図３に示すように、台形部３０ａの中央にボス部３０５が形成され、リブ３０６がボス部３０５から放射状に伸び、さらに脚部３０ｂに沿って形成されている。このように構成されたスタンド本体３０は、例えば、アルミダイギャストにより形成することができる。なお、図３中、３０１Ａ’，３０１Ｂ’，３０１Ｃ’は、それぞれ第１乃至第３の凹部３０１Ａの反対側に形成された第１乃至第３の凸部である。第２の凸部３０１Ｂ’は、一部がボス部３０５に隠れている。これらの凹部３０１Ａ〜３０１Ｃ（凸部３０１Ａ’〜３０１Ｃ’）は、スタンド本体３０の強度を補強するリブとして機能する。
【００１９】
スタンド本体３０のボス部３０５には、図３に示すように、２つの位置決め用穴３０５ａと、４つの取付穴３０５ｂが形成されており、これらの穴３０５ａ、３０５ｂを用いて液晶ディスプレイユニット２をボス部３０５の軸回りに回転可能に固定するための図示しない支柱が取り付けられる。
【００２０】
また、スタンド本体３０には、図３に示すように、スタンドカバー３１をスタンド本体３０の底面３００側から取り付けるための取付穴３０７が形成されている。ねじ３０８を取付穴３０７に挿通させ、スタンドカバー３１に形成された図示しないねじ穴に螺合することにより、スタンドカバー３１をスタンド本体３０に取り付けることができる。ねじ３０８には、図２に示すように座部３０３が装着される。座部３０３は、例えば、ゴム、樹脂等からなり、底面３００から突出している。なお、スタンドカバー３１に取付穴を形成し、スタンド本体３０にねじ穴を形成し、スタンドカバー３１側からスタンド本体３０にねじを螺合してもよい。
【００２１】
（スタンドカバー）
スタンドカバー３１は、台形部３０ａと脚部３０ｂ，３０ｂを有するスタンド本体３０の形状にほぼ対応した形状を有し、スタンド本体３０のボス部３０５に取り付けられる図示しない支柱が挿通する挿通穴３１ａを有し、例えば、金属や樹脂材料からなる。
【００２２】
（転倒防止部材）
転倒防止部材４は、例えば、ポリアミド樹脂等の可撓性を有する樹脂材料から形成され、凹部３０１の底面３００からの深さよりも薄い厚さを有し、長手方向に沿って複数の穴４ａが形成されており、一方の端部から４つ目の穴４ａに回転中心用ねじ３０２が挿通される。本実施の形態では、例えば、厚さ２ｍｍ、幅１５ｍｍ、長さ２５０ｍｍの長尺形状を有する。なお、転倒防止部材４の可撓性よりも強度を重視した場合、凹部３０１の底面３００からの深さ（例えば、１０ｍｍ）と座部３０３の底面３００からの高さ（例えば、５ｍｍ）の合計よりも薄ければよいため、座部３０３の高さを高めにして厚めの転倒防止部材を用いることもできる。
【００２３】
（転倒防止部材の使用方法）
図４は、スタンド部３の底面側から見た転倒防止部材４の引き出し状態を示す斜視図である。転倒防止部材４を図２に示す状態から回転中心用ねじ３０２を中心に右方向に回転させ、図４に示すように第２の凹部３０１Ｂに保持させることにより、転倒防止部材４を引き出す。テレビジョン放送受信装置１を、図１に示すように、スタンド部３の座部３０３がテレビ台５の天板５０の上面５０ａに当接するように置く。転倒防止部材４の任意の穴４ａに木ねじ６を通して天板５０の後面５０ｂに固定する。なお、転倒防止部材４の他の穴４ａを用いて天板５０の上面５０ａに固定してもよい。
【００２４】
（第１の実施の形態の効果）
本実施の形態によれば、以下の効果を奏する。
（イ）転倒防止用部品である転倒防止部材４の不使用時は、スタンド部３の底面３００に収納できるので、転倒防止部材４が紛失するのを防ぐことができ、また外観を損ねることもない。
（ロ）テレビジョン受像装置１の梱包時に、転倒防止部材４を第１の凹部３０１Ａに収納することで、その収納位置が定まるので、転倒防止部材４の角度がばらついて、転倒防止部材４を曲げて曲げ癖がついてしまうのを防ぐことができる。
（ハ）転倒防止部材４を収納する位置と引き出した位置に応じて設けた第１乃至第３の凹部３０１Ａ〜３０１Ｃがスタンド本体３０の強度を補強するリブとして機能するので、軽量でありながら、スタンド本体３０の強度を増すことができる。
（ニ）転倒防止部材４は、可撓性を有する帯状をなし、長手方向に複数の穴４ａを備えているので、取り扱い性が向上し、テレビジョン放送受信装置１が置かれる台に応じて任意の位置で固定することができる。
【００２５】
なお、転倒防止部材の厚さを凹部３０１の深さよりも薄いものを用いた場合、スタンド本体３０の底面３００に座部３０３を設けなくてもよい。
【００２６】
［第２の実施の形態］
図５は、本発明の第２の実施の形態に係る表示装置のスタンド部の底面側から見た斜視図である。第１の実施の形態では、第１の凹部３０１Ａを一方の脚部３０ｂ側に設けたが、本実施の形態は、両方の脚部３０ｂに第１の凹部３０１Ａを設け、転倒防止部材４を２つの第１の凹部３０１Ａのどちらにも収納できるようにしたものである。
【００２７】
この第２の実施の形態によれば、梱包等の都合に応じて転倒防止部材４を２つの第１の凹部３０１Ａのうちの一方に収納することができる。また、スタンド本体３０は、左右対称の形状であるので、強度を左右平等にすることができる。
【００２８】
なお、本発明は、上記実施の形態に限定されず、その発明の趣旨を逸脱しない範囲内で種々変形実施が可能である。例えば、上記実施の形態では、転倒防止部材をスタンド部の底面に設けた凹部に収納したが、スタンド部の中間に空間部を設け、その中間部に転倒防止部材を収納してもよい。
【００２９】
また、第１の実施の形態では、図２において右側の脚部３０ｂにのみ第１の凹部３０１Ａを形成したが、これとは逆に左側の脚部３０ｂにのみ第１の凹部３０１Ａを形成してもよい。
【図面の簡単な説明】
【００３０】
【図１】図１は、本発明の第１の実施の形態に係る表示装置の斜視図である。
【図２】図２は、本発明の第１の実施の形態に係るスタンド部を示し、（ａ）は、スタンド部の底面側から見た斜視図、（ｂ）は、（ａ）のＡ−Ａ線断面図である。
【図３】図３は、本発明の第１の実施の形態に係るスタンド部の分解斜視図である。
【図４】図４は、本発明の第１の実施の形態に係るスタンド部の底面側から見た転倒防止部材の引き出し状態を示す斜視図である。
【図５】図５は、本発明の第２の実施の形態に係る表示装置のスタンド部の底面側から見た斜視図である。
【符号の説明】
【００３１】
１  テレビジョン放送受信装置
２  液晶ディスプレイユニット
３  スタンド部
４  転倒防止部材
４ａ  穴
５  テレビ台
６  木ねじ
２０  フロントカバー
２１  リアカバー
３０  スタンド本体
３０ａ  台形部
３０ｂ  脚部
３１  スタンドカバー
３１ａ  挿通穴
５０  天板
５０ａ  上面
５０ｂ  後面
３００  底面
３０１  凹部
３０１Ａ  第１の凹部
３０１Ｂ  第２の凹部
３０１Ｃ  第３の凹部
３０１Ａ’  第１の凸部
３０１Ｂ’  第２の凸部
３０１Ｃ’  第３の凸部
３０２  回転中心用ねじ
３０３  座部
３０４  引掛けバンド
３０５  ボス部
３０５ａ  位置決め用穴
３０５ｂ  取付穴
３０６  リブ
３０７  取付穴
３０８  ねじ
θ１  第１の角度方向
θ２  第２の角度方向
【図１】
2008160236.tif 000003
【図２】
2008160236.tif 000004
【図３】
2008160236.tif 000005
【図４】
2008160236.tif 000006
【図５】
2008160236.tif 000007